(57)【要約】【課題】コインシデンス効果による遮音性能の低下を緩和して、遮音性能を向上することができる遮音壁の構造を提供する。【解決手段】制振材５が、面材３を固定している下地間柱２と接触するように設けられている。その場合は、制振材５は、下地間柱２と面材３との接合面以外の部分に設けられ、下地間柱２と面材３との接合面に不存在であるのもよい。また、制振材５が、下地間柱２と面材３との接合面間に介設されて、面材３と下地間柱３の両方に接触するように設けられているのもよい。【選択図】      図１
2005282136.tif 000002
【特許請求の範囲】
【請求項１】
制振材が、面材を固定している下地間柱と接触するように設けられていることを特徴とする遮音壁の構造。
【請求項２】
前記制振材が、下地間柱と面材との接合面以外の部分に設けられ、下地間柱と面材との接合面に不存在である請求項１に記載の遮音壁の構造。
【請求項３】
前記制振材が、下地間柱と面材との接合面間に介設されて、面材と下地間柱の両方に接触するように設けられている請求項１又は２に記載の遮音壁の構造。
【発明の詳細な説明】
【技術分野】
【０００１】
本発明は、遮音壁の構造に関する。
【背景技術】
【０００２】
例えば、住宅の間仕切り壁等に使用される一般的な遮音壁構造では、図３（イ）に示すように、石膏ボード等の面材５１，５１を固定する下地間柱５２…を千鳥状に配置したり、面材５１，５１間の中空層に吸音材５３を設置したりすることによって、遮音性能を確保することが行われている。
【発明の開示】
【発明が解決しようとする課題】
【０００３】
しかしながら、上記の遮音壁における面材５１，５１の特徴として、コインシデンス効果と呼ばれる、板の屈曲振動に伴う遮音性能の低下を必ず生じ、特に、面材５１，５１が石膏ボードである場合には、１０００〜４０００Ｈｚの中高音域のヒトが最も敏感な周波数で、図３（ロ）に示すように、遮音性能が大きく低下してしまうという問題がある。
【０００４】
本発明は、上記のような問題点に鑑み、コインシデンス効果による遮音性能の低下を緩和して、遮音性能を向上することができる遮音壁の構造を提供することを課題とする。
【課題を解決するための手段】
【０００５】
上記の課題において、本発明者は、調査のための実験を行った結果、コインシデンス効果による遮音性能の低下が、面材のなかでも、特に、下地間柱に固定されている部分において顕著であることを突き止めるに至った。
【０００６】
そこで、コインシデンス効果による遮音性能の低下を、下地間柱の数を減らすことで緩和することも考えたが、それでは、壁としての強度を確保できず、コインシデンス効果による遮音性能の低下を効果的に緩和していくことは難しい。
【０００７】
本発明は、上記のような解明と、解明に基づく思索の積み重ねの結果、産み出されたもので、制振材が、面材を固定している下地間柱と接触するように設けられていることを特徴とする遮音壁の構造をその内容としている。
【０００８】
この構造では、制振材によって下地間柱が制振され、その結果、面材において、下地間柱に固定されている部分で顕著であったコインシデンス効果による遮音性能の低下を、効果的に緩和することができる。しかも、制振材を用いて緩和するものであるから、下地間柱の数を減らす必要がなく、しっかりとした強度の遮音壁を実現することができる。
【０００９】
上記の構造において、制振材が、下地間柱と面材との接合面以外の部分に設けられ、下地間柱と面材との接合面に不存在である場合は、制振材で下地間柱を制振して、コインシデンス効果による遮音性能の低下を有効的に緩和することができる。特に、下地間柱が鋼材等の金属製のものである場合には、制振材が下地間柱と面材との接合面以外の部分に設けられていて、接合面部に不存在であっても、コインシデンス効果による遮音性能の低下を効果的に緩和することができる。しかも、制振材が下地間柱と面材との接合面に不存在にすることで、遮音壁の壁厚を増加することなく、それを実現できるようにする手段を講じることも可能となる。
【００１０】
また、上記の構造において、制振材が、下地間柱と面材との接合面間に介設されて、面材と下地間柱の両方に接触するように設けられている場合は、下地間柱と面材との接合部において面材も制振することができ、遮音壁の壁厚を増加することなく、コインシデンス効果による遮音性能の低下を効果的に緩和することができる。特に、この構造において、制振材が面材に対して下地間柱との接合部分にのみ設けられている場合には、少ない制振材で、コインシデンス効果による遮音性能の低下を効果的に緩和することができる。
【発明の効果】
【００１１】
本発明は、以上のとおりのものであるから、壁の強度を充分に確保することができながら、コインシデンス効果による遮音性能の低下を効果的に緩和することができて、遮音性能を向上することができる。
【発明を実施するための最良の形態】
【００１２】
次に、本発明の実施最良形態を図面に基づいて説明する。
【００１３】
図１（イ）に示す第１実施形態の遮音壁１は、住宅の間仕切り壁についてのもので、２…は木製の下地間柱、３，３は石膏ボード等の面材、４は吸音材であり、各下地間柱２は、千鳥状に配置されていて、一方の面材のみがビス等で固定され、もう一方の面材から離間した構造となっている。そして、本実施形態では、下地間柱２と、該下地間柱２に固定接合されている面材３との間に、ゴム等からなる制振材５が介設され、該制振材５が面材３と下地間柱２の両方に接触するように設けられている。
【００１４】
この遮音壁１の構造では、制振材５によって下地間柱２と面材３との両方が制振され、面材３において、下地間柱２に固定されている部分で顕著であったコインシデンス効果による遮音性能の低下を、効果的に緩和することができる。しかも、制振材５を用いて緩和するものであるから、下地間柱２…の数を減らす必要がなく、しっかりとした強度の遮音壁１を実現することができる。特に、図示するように、制振材５が面材３に対して下地間柱２との接合部分にのみ設けられている場合には、面材３の背面の広い範囲に制振材を設ける場合に比べて、少ない制振材で、コインシデンス効果による遮音性能の低下を効果的に緩和することができる。
【００１５】
図１（ロ）に示す第２実施形態の遮音壁１の構造は、下地間柱２…が鉄骨、軽鉄スタッドなどの金属からなる場合のもので、角筒状をしており、その外周面の全部に、ゴム、制振塗料等の制振材５が接触状態に設けられている。この遮音壁１の構造では、制振材５が面材３にも接触することで面材３も制振することができるのみならず、下地間柱２も効果的に制振することができ、遮音壁１の強度を充分に確保することができながら、コインシデンス効果による遮音性能の低下を効果的に緩和することができる。
【００１６】
図１（ハ）に示す第３実施形態の遮音壁１の構造は、下地間柱２…が同じく鉄骨、軽鉄スタッドなどの金属からなっており、ゴム、制振塗料等の制振材５が、下地間柱２と面材３との接合部分とは反対の側の面部に接触状態に設けられ、下地間柱２と面材３との接合部分には、制振材は不存在となっている。この遮音壁１の構造では、制振材５で下地間柱２が制振されることで、コインシデンス効果による遮音性能の低下を有効的に緩和することができる。
【００１７】
図２（ニ）に示す第４実施形態の遮音壁１の構造は、下地間柱２…が同じく鉄骨、軽鉄スタッドなどの金属からなっており、ゴム、制振塗料等の制振材５が、下地間柱２の内周部に接触状態に設けられ、下地間柱２と面材３との接合部分には、制振材は不存在となっている。
【００１８】
また、図２（ホ）に示す第５実施形態の遮音壁１の構造は、下地間柱２…が同じく鉄骨、軽鉄スタッドなどの金属からなるが、リップ付きの溝形形状をしており、ゴム、制振塗料等の制振材５が、下地間柱２の内周部に接触状態に設けられ、下地間柱２と面材３との接合部分には、制振材は不存在となっている。
【００１９】
更に、図２（ヘ）（ト）に示す第６、第７実施形態の遮音壁１の構造は、下地間柱２…が同じく鉄骨、軽鉄スタッドなどの金属からなり、ウレタンなどからなる制振材５が、下地間柱２の内部に接触状態に充填され、下地間柱２と面材３との接合部分には、制振材は不存在となっている。
【００２０】
これら、第４〜第７実施形態では、制振材５で下地間柱２を制振して、コインシデンス効果による遮音性能の低下を有効的に緩和することができ、しかも、制振材５が下地間柱２と面材３との接合面に不存在であることとの関連で、遮音壁１の壁厚を増加することなく、遮音性能の向上を実現ことができる。
【００２１】
以上に、本発明の実施形態を示したが、本発明はこれに限られるものではなく、発明思想を逸脱しない範囲で各種の変更が可能である。例えば、上記の実施形態では、下地間柱２…が千鳥状配置の場合を示したが、共通間柱などであってもよいし、面材３，３間の中空層への吸音材４の設置も省略されていてもよい。また、面材３，３は石膏ボードに限らず、各種ボード類が用いられていてもよい。また、一方の面側にのみコインシデンス効果が問題となるような面材が備えられた遮音壁に適用することも可能である。
【図面の簡単な説明】
【００２２】
【図１】図（イ）〜図（ハ）はそれぞれ、第１〜第３実施形態の遮音壁の構造を示す断面平面図である。
【図２】図（ニ）〜図（ト）はそれぞれ、第４〜第７実施形態の遮音壁の構造を示す断面平面図である。
【図３】従来例を示すもので、図（イ）は遮音壁の構造を示す平面断面図、図（ロ）は周波数と遮音性能との関係を示すグラフ図である。
【符号の説明】
【００２３】
１…遮音壁
２…下地間柱
３…面材
５…制振材
【図１】
2005282136.tif 000003
【図２】
2005282136.tif 000004
【図３】
2005282136.tif 000005